(57)【特許請求の範囲】
【請求項１】
互いに略平行に設置した複数の主天井支持バーに対し、略直交方向に配置される副天井支持バーを、隣接する前記主天井支持バーどうしの間に掛け渡し、これら主天井支持バーと副天井支持バーで構成される格子の内に天井材や設備機器を配してなるシステム天井において、前記副天井支持バーは、長手方向に延びる主体部の両端に主体部側面に対して略直角方向に突出して前記主天井支持バーに設けた係合部に入って係合する挿入部を有し、この挿入部の先端は、前記係合部に入る直前に前記主天井支持バーと略平行になるように、前記副天井支持バーの主体部側へ折曲したことを特徴とするシステム天井。
【請求項２】
挿入部と主天井支持バーのうちの一方に取付用係止突部を設け、他方に前記取付用係止突部が係止する抜け止め段部を設けた請求項１記載のシステム天井。
【請求項３】
挿入部の先端近傍が対向する主天井支持バーの部位に取付用係止突部と抜け止め段部との係止を外すための操作具差込部を設けた請求項２記載のシステム天井。
【発明の詳細な説明】
【０００１】
【発明の属する技術分野】
この発明は、システム天井に関するものである。
【０００２】
【従来の技術】
従来のシステム天井では、互いに略平行に設置した複数の主天井支持バーに対し、略直交方向に配置される副天井支持バーを、隣接する主天井支持バーどうしの間に掛け渡して構成される（例えば、実公平６−３４９８３号公報）。副天井支持バーは、長手方向に延びる主体部の両端に、主天井支持バーに設けた係合部に入って係合する挿入部を有する。挿入部は、主体部の側面に対して略直角方向に折曲されているが、その先端は真っ直ぐで取付用係止突部もない。また、副天井支持バーを外す時は挿入部先端を汎用工具で変形させなければ外すことができなかった。
【０００３】
【発明が解決しようとする課題】
上記のように従来のシステム天井に用いる副天井支持バーの挿入部の先端加工では、挿入部先端が真っ直ぐなため、副天井支持バー先端挿入時に挿入部の先端が係合部の穴より反対側に入ってしまい副天井支持バーが入れ難く、施工性が低下するという問題がある。また、無理に副天井支持バーの挿入部を係合部の穴に入れた場合、挿入部の根元および先端部が変形し、副天井支持バーの係合強度低下のおそれがある等の問題もあった。
【０００４】
しだかって、この発明の目的は、副天井支持バーの挿入部の係合時に容易に入りやすくして施工性の向上を図り、挿入部の変形を防止するシステム天井を提供することである。
【０００５】
【課題を解決するための手段】
上記課題を解決するためにこの発明の請求項１記載のシステム天井は、互いに略平行に設置した複数の主天井支持バーに対し、略直交方向に配置される副天井支持バーを、隣接する前記主天井支持バーどうしの間に掛け渡し、これら主天井支持バーと副天井支持バーで構成される格子の内に天井材や設備機器を配してなるシステム天井において、前記副天井支持バーは、長手方向に延びる主体部の両端に主体部側面に対して略直角方向に突出して前記主天井支持バーに設けた係合部に入って係合する挿入部を有し、この挿入部の先端は、前記係合部に入る直前に前記主天井支持バーと略平行になるように、前記副天井支持バーの主体部側へ折曲した。
【０００６】
このように、副天井支持バーは、長手方向に延びる主体部の両端に主体部側面に対して略直角方向に突出して主天井支持バーに設けた係合部に入って係合する挿入部を有し、この挿入部の先端は、係合部に入る直前に主天井支持バーと略平行になるように、副天井支持バーの主体部側へ折曲したので、副天井支持バーの挿入部の先端を主天井支持バーの係合部に容易に入れることができ、施工性が向上する。
【０００７】
またこれに伴い、副天井支持バーの挿入部を入れて係合する際に、大きな力がかからず挿入部の根元および先端部が変形して強度が低下することがない。
【０００８】
請求項２記載のシステム天井は、請求項１記載のシステム天井において、挿入部と主天井支持バーのうちの一方に取付用係止突部を設け、他方に前記取付用係止突部が係止する抜け止め段部を設けた。このように、挿入部と主天井支持バーのうちの一方に取付用係止突部を設け、他方に取付用係止突部が係止する抜け止め段部を設けたので、副天井支持バーに外力が加わっても外れ難くなる。
【０００９】
請求項３記載のシステム天井は、請求項２記載のシステム天井において、挿入部の先端近傍が対向する主天井支持バーの部位に取付用係止突部と抜け止め段部との係止を外すための操作具差込部を設けた。このように、挿入部の先端近傍が対向する主天井支持バーの部位に取付用係止突部と抜け止め段部との係止を外すための操作具差込部を設けたので、汎用工具を挿入部の先端近傍の裏側にある操作具差込部に差込み引き起こすことにより副天井支持バーを容易に外すことができる。これに伴い、副天井支持バーを外す時に挿入部先端を汎用工具で変形させることがなくなる。
【００１０】
【発明の実施の形態】
この発明の実施の形態を図１ないし図６に基づいて説明する。図１はこの発明の実施の形態のシステム天井の要部斜視図、図２はこの発明の実施の形態のシステム天井の取付説明図、図３はその要部拡大断面図である。
【００１１】
図１および図２に示すように、システム天井は、互いに略平行に設置した複数の主天井支持バー１に対し、略直交方向に配置される副天井支持バー２を、隣接する主天井支持バー１，１どうしの間に掛け渡し、これら主天井支持バー１と副天井支持バー２で構成される格子の内に天井材や照明器具等の設備機器を配してなる。
【００１２】
主天井支持バー１は、金属板を折曲加工して断面略逆Ｔ字状に形成され、ハンガーと吊りボルトにて上部スラブに吊り下げられている。その構成は実公平６−３４９８３号公報に開示されているものと同様である。また、主天井支持バー１の垂直片１ａに副天井支持バー２に係合する係合部７を設け、垂直片１ａの下部に端縁を立ち上げた略溝形のフランジ１ｂを有する。係合部７は長手方向に貫通するように切り起こして筒状にしてある。この場合、図３に示すように、垂直片１ａの両側面において隣合うように逆方向に切り起こしてある。また、係合部７の両側部には切欠き７ａが設けられるとともに、中央部には外側に突出するように屈曲した屈曲部７ｂが長手方向に設けてある。
【００１３】
また、垂直片１ａには抜け止め段部６、突片１０、操作具差込部５がそれぞれ設けてある。抜け止め段部６は、係合部３に近接した位置で、係合部３と反対側が突出するように斜めに切り起こしてある。突片１０はフランジ１ｂと略平行になるように切り起こされ、操作具差込部５は突片１０の近傍に穴または凹形状に切り起こされる。
【００１４】
図４（ａ）はこの発明の実施の形態における副天井支持バーの正面図、（ｂ）はその側面図である。図４に示すように、副天井支持バー２は、主天井支持バー１と同様に金属板を折曲加工して断面略逆Ｔ字状に形成され、長手方向に延びる主体部１１の両端に主体部側面に対して略直角方向に突出して主天井支持バー１に設けた係合部７に入って係合する挿入部３を有する。
【００１５】
主体部１１は、垂直片１１ａの下部に端縁を立ち上げた略溝形のフランジ１１ｂを有する。挿入部３は垂直片１１ａの端部より一体に延出された部分を略Ｌ形に折曲して形成される。この挿入部３の折曲方向は垂直片１１ａの両端部で反対側である（図２）。挿入部先端３ａは、係合部７に入る直前に主天井支持バー１と略平行になるように、副天井支持バー２の主体部１１側へ折曲している（図３）。この場合、挿入部３近傍の主体部１１の垂直片１１ａに、補強のためのリブ１２を３本設け、中央の１本のリブ１２ａを挿入部３側へ連続して設けてある。また、挿入部３には、取付用係止突部４および係止溝１３がそれぞれ設けてある。取付用係止突部４は折曲した挿入部先端３ａの基部に山形に切り起こされ、主天井支持バー１の抜け止め段部６に係止する。抜け止め段部６は取付用係止突部４に隣接して開口された開口部４ａに納まる。これら取付用係止突部４と抜け止め段部６との係止を外すことができるように、挿入部先端３ａ近傍が対向する主天井バー１の部位に上記操作差込部５が位置する。また、係止溝１３は挿入部先端３ａに切り欠かれ、突片１０が差し込まれる。
【００１６】
施工時において、主天井支持バー１に副天井支持バー２を係合する際、図３に示すように、挿入部３を係合部７に入れる。このとき、係合部７に挿入部先端３ａが入る直前に挿入部先端３ａと主天井支持バー１が略平行になり、係合部７に入り易くなる。すなわち、挿入部先端３ａと主天井支持バー１の垂直片１ａを一定の間隔Ａで対向させることができる。この後、図５に示すように、挿入部３のリブ１２ａが屈曲部７ｂに嵌合しつつ、取付用係止突部４が抜け止め段部５に係止するとともに突片１０が係止溝１３に差し込まれる。これにより、挿入部３に外力が加わっても抜けない。この状態で、図６に示すように、副天井支持バー２を外す時は、汎用工具８を挿入部先端３ａの裏側にある操作具差込部５に差込み引き起こすことにより容易に外すことができる。
【００１７】
以上のようにこの実施の形態によれば、副天井支持バー２の挿入部先端３ａを主天井支持バー１の係合部７に容易に入れることができ、施工性が向上する。またこれに伴い、副天井支持バー２の挿入部３を入れて係合する際に、大きな力がかからず挿入部３の根元および先端部が変形して強度が低下することがない。
【００１８】
また、挿入部３と主天井支持バー１のうちの一方に取付用係止突部４を設け、他方に取付用係止突部４が係止する抜け止め段部６を設けることで、副天井支持バー２に外力が加わっても外れ難くなる。また、操作具差込部５を設けたので、副天井支持バー２を外しやすくなるとともに、挿入部先端３ａを汎用工具８で変形させることがなくなる。
【００１９】
なお、取付用係止突部４と抜け止め段部６、および操作具差込部５はなくてもよい。
【００２０】
【発明の効果】
この発明の請求項１記載のシステム天井によれば、副天井支持バーは、長手方向に延びる主体部の両端に主体部側面に対して略直角方向に突出して主天井支持バーに設けた係合部に入って係合する挿入部を有し、この挿入部の先端は、係合部に入る直前に主天井支持バーと略平行になるように、副天井支持バーの主体部側へ折曲したので、副天井支持バーの挿入部の先端を主天井支持バーの係合部に容易に入れることができ、施工性が向上する。
【００２１】
またこれに伴い、副天井支持バーの挿入部を入れて係合する際に、大きな力がかからず挿入部の根元および先端部が変形して強度が低下することがない。
【００２２】
請求項２では、挿入部と主天井支持バーのうちの一方に取付用係止突部を設け、他方に取付用係止突部が係止する抜け止め段部を設けたので、副天井支持バーに外力が加わっても外れ難くなる。
【００２３】
請求項３では、挿入部の先端近傍が対向する主天井支持バーの部位に取付用係止突部と抜け止め段部との係止を外すための操作具差込部を設けたので、汎用工具を挿入部の先端近傍の裏側にある操作具差込部に差込み引き起こすことにより副天井支持バーを容易に外すことができる。これに伴い、副天井支持バーを外す時に挿入部先端を汎用工具で変形させることがなくなる。
【図面の簡単な説明】
【図１】この発明の実施の形態のシステム天井の要部斜視図である。
【図２】この発明の実施の形態のシステム天井の取付説明図である。
【図３】図２の要部拡大断面図である。
【図４】（ａ）はこの発明の実施の形態における副天井支持バーの正面図、（ｂ）はその側面図
【図５】この発明の実施の形態における副天井支持バーの取付状態の説明図である。
【図６】この発明の実施の形態における副天井支持バーを取り外している状態の説明図である。
【符号の説明】
１  主天井支持バー
２  副天井支持バー
３  挿入部
３ａ  挿入部先端
４  取付用係止突部
５  操作具差込部
６  抜け止め段部
７  係合部
８  汎用工具
１１  主体部
【図１】
0003896854.tif 000002
【図２】
0003896854.tif 000003
【図３】
0003896854.tif 000004
【図４】
0003896854.tif 000005
【図５】
0003896854.tif 000006
【図６】
0003896854.tif 000007